【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
帯状の未加硫ゴムの外表面を防着剤で被覆してなる第１ゴムシートと第２ゴムシートとを接続する未加硫ゴムシートの接続方法であって、
前記第１ゴムシートと前記第２ゴムシートの接続端部に防着剤で被覆されてない非被覆領域をそれぞれ形成する第１工程と、
前記非被覆領域同士を当接させた状態で、前記第１ゴムシートと前記第２ゴムシートを接合する第２工程と、
を含む、未加硫ゴムシートの接続方法。
【請求項２】
前記非被覆領域は、前記第１ゴムシートと前記第２ゴムシートの厚み方向の一方の面にそれぞれ形成されている、請求項１に記載の未加硫ゴムシートの接続方法。
【請求項３】
前記第１ゴムシートと前記第２ゴムシートの接合は圧着である、請求項１又は２に記載の未加硫ゴムシートの接続方法。
【請求項４】
前記第１ゴムシートの接続端の幅方向中央部から長手方向に延びる切欠きにより係止受部を形成し、前記第２ゴムシートの接続端部の両側縁から幅方向中央部に向かって延びる一対の切欠きにより略Ｔ字状の係止部を形成し、前記係止受部に前記係止部を係止することにより、前記第１ゴムシートと前記第２ゴムシートを接続する、請求項１に記載の未加硫ゴムシートの接続方法。
【請求項５】
前記第１ゴムシートにスリットを設けることにより係止片を形成し、
前記第２ゴムシートに、前記係止片が挿通される挿通部を形成する、請求項１に記載の未加硫ゴムシートの接続方法。
【請求項６】
前記第１ゴムシートは、接続端から長手方向に突出する係止片を有し、
前記係止片は、幅方向の両側から幅方向側方に突出する突起を有し、
前記第２ゴムシートは、接続端から長手方向に延びる切欠きを有し、
前記切欠きは、前記係止片と相補的な形状を有する、請求項１に記載の未加硫ゴムシートの接続方法。
【請求項７】
帯状の未加硫ゴムの外表面を防着剤で被覆してなる第１ゴムシートと第２ゴムシートとを接続する未加硫ゴムシートの接続方法であって、
前記第１ゴムシートと前記第２ゴムシートにスリットを設けることにより係止片を形成し、
前記第１ゴムシートと前記第２ゴムシートは、前記係止片同士を互いに係止する、未加硫ゴムシートの接続方法。
【請求項８】
前記スリットは、前記第１ゴムシートと前記第２ゴムシートの側縁から長手方向に交差して延び、さらに接続端側に屈曲して延びる、請求項７に記載の未加硫ゴムシートの接続方法。
【請求項９】
前記係止片は、前記接続端とは反対側に向かって自由端を突出させるものである、請求項８に記載の未加硫ゴムシートの接続方法。
【手続補正２】
【補正対象書類名】明細書
【補正対象項目名】０００８
【補正方法】変更
【補正の内容】
【０００８】
前記非被覆領域は、前記第１ゴムシートと前記第２ゴムシートの厚み方向の一方の面にそれぞれ形成されているのが好ましい。
【手続補正３】
【補正対象書類名】明細書
【補正対象項目名】０００９
【補正方法】変更
【補正の内容】
【０００９】
これによれば、一方の面に直交する方向から押圧力を付与するだけで、第１ゴムシートと第２ゴムシートを簡単に接合することができる。
【手続補正４】
【補正対象書類名】明細書
【補正対象項目名】００１０
【補正方法】変更
【補正の内容】
【００１０】
前記非被覆領域は、前記第１ゴムシートと前記第２ゴムシートに前記一方の面と交差するように形成したスリットにより得られる交差面であってもよい。
【手続補正５】
【補正対象書類名】明細書
【補正対象項目名】００１２
【補正方法】変更
【補正の内容】
【００１２】
前記第１ゴムシートと前記第２ゴムシートにスリットを設けることにより係止片を形成し、
前記第１ゴムシートと前記第２ゴムシートは、前記係止片同士を互いに係止するのが好ましい。
【手続補正６】
【補正対象書類名】明細書
【補正対象項目名】００１８
【補正方法】変更
【補正の内容】
【００１８】
前記係止片は、前記接続端とは反対側に向かって自由端を突出させるものであるのが好ましい。
【手続補正７】
【補正対象書類名】明細書
【補正対象項目名】００２０
【補正方法】変更
【補正の内容】
【００２０】
前記第１ゴムシートの接続端の幅方向中央部から長手方向に延びる切欠きにより係止受部を形成し、前記第２ゴムシートの接続端部の両側縁から幅方向中央部に向かって延びる一対の切欠きにより略Ｔ字状の係止部を形成し、前記係止受部に前記係止部を係止することにより、前記第１ゴムシートと前記第２ゴムシートを接続するようにしてもよい。
【手続補正８】
【補正対象書類名】明細書
【補正対象項目名】００２２
【補正方法】変更
【補正の内容】
【００２２】
前記第１ゴムシートは、接続端から長手方向に突出する係止片を有し、
前記係止片は、両側から側方に突出する突起を有し、
前記第２ゴムシートは、接続端から長手方向に延びる切欠きを有し、
前記切欠きは、前記係止片と相補的な形状を有する構成としてもよい。
【手続補正９】
【補正対象書類名】明細書
【補正対象項目名】００２４
【補正方法】変更
【補正の内容】
【００２４】
【図１】本実施形態に係る載置台に載置されたゴムシートの模式図である。
【図２】第１実施形態に係るゴムシートの接続構造を示す接続端部の斜視図である。
【図３】第２実施形態に係るゴムシートの接続構造を示す接続端部の断面図である。
【図４Ａ】第３実施形態に係るゴムシートの接続構造を示す接続端部の分解斜視図である。
【図４Ｂ】第３実施形態に係るゴムシートの接続状態を示す接続端部の斜視図である。
【図５Ａ】第４実施形態に係るゴムシートの接続構造を示す接続端部の分解斜視図である。
【図５Ｂ】第４実施形態に係るゴムシートの接続状態を示す接続端部の斜視図である。
【図６Ａ】第５実施形態に係るゴムシートの接続構造を示す接続端部の分解斜視図である。
【図７Ａ】第６実施形態に係るゴムシートの接続構造を示す接続端部の分解斜視図である。
【図７Ｂ】第６実施形態に係るゴムシートの接続状態を示す接続端部の斜視図である。
【図８】第７実施形態に係るゴムシートの接続構造を示す接続端部の分解斜視図である。
【手続補正１０】
【補正対象書類名】明細書
【補正対象項目名】００２８
【補正方法】変更
【補正の内容】
【００２８】
（第１実施形態）
図２は、第１実施形態に係る接続構造を示す。この接続構造では、第１ゴムシート４の接続端部には、一方の主面（厚み方向の面）である上面が部分的に切除され、そこには接続端に向かうに従って徐々に薄くなる第１傾斜面５が形成されている。第１傾斜面５は、防着剤で被覆されていない非被覆領域６となっている。一方、第２ゴムシート７の接続端部には、他方の主面である下面が切除され、そこには接続端に向かうに従って徐々に薄くなる第２傾斜面８が形成されている。第２傾斜面８も防着剤で被覆されていない非被覆領域６となっている。
【手続補正１１】
【補正対象書類名】明細書
【補正対象項目名】００３１
【補正方法】変更
【補正の内容】
【００３１】
（第２実施形態）
図３は、第２実施形態に係る接続構造を示す。この接続構造では、第１ゴムシート４の接続端部の下面と第２ゴムシート７の接続端部の上面を、全体に均一に除去して非被覆領域６を露出させ、非被覆領域６同士を当接させた状態で、前記同様、両者を圧着するようにしている。この場合、第１ゴムシート４と第２ゴムシート７の重ね合わせ部分が、圧着後に他の部分と同一の厚みとなるように、圧着力や除去する厚みを調整するのが好ましい。
【手続補正１２】
【補正対象書類名】明細書
【補正対象項目名】００３２
【補正方法】変更
【補正の内容】
【００３２】
なお、前記第１及び第２実施形態では、ゴムシート２に傾斜面又は平坦面を設けて非被覆領域６を形成するようにしたが、これらに限らず、厚み方向の面同士を重ね合わせた当接面に非被覆領域６が形成されるのであれば、種々の形態を取ることができる。例えば、非被覆領域６を当接面の全面で構成せずに、一部で構成することができる。また、当接面に形成する非被覆領域６は、連続している必要もなく、複数箇所に形成することもできる。
【手続補正１３】
【補正対象書類名】明細書
【補正対象項目名】００３４
【補正方法】変更
【補正の内容】
【００３４】
（第３実施形態）
図４Ａは、第３実施形態に係る接続構造を示す。この接続構造では、第１ゴムシート４の接続端の幅方向中央部から長手方向に延びる切欠き１０ａが形成されている。この切欠き１０ａは係止受部の一例であり、切欠き１０ａにより露出した断面部分に防着剤で被覆されていない非被覆領域６が露出している。一方、第２ゴムシート７には、両側縁から中央部に向かって延びる一対の切欠き１０ｂにより、突出部１１ａと、その先端から両側に延びる延在部１１ｂとで略Ｔ字形となった係止部１１が形成されている。
【手続補正１４】
【補正対象書類名】明細書
【補正対象項目名】００３６
【補正方法】変更
【補正の内容】
【００３６】
（第４実施形態）
図５Ａは、第４実施形態に係る接続構造を示す。この接続構造では、第１ゴムシート４には、接続端の幅方向中央部から長手方向に２本のスリット４ａを平行に設けることにより舌片１２が形成されている。また、第２ゴムシート７には、挿通部の一例である貫通孔１３が形成されている。
【手続補正１５】
【補正対象書類名】明細書
【補正対象項目名】００３９
【補正方法】変更
【補正の内容】
【００３９】
図６Ａに示す接続構造によれば、第１ゴムシート４と第２ゴムシート７とを、第１スリット１４と第２スリット１６とを利用して簡単に接続することができる。すなわち、図６Ｂに示すように、第１スリット１４の第１直線部１４ａと、第２スリット１６の第３直線部１６ａとの長手方向の位置を位置合わせし、第１ゴムシート４に対して第２ゴムシート７を相対的に幅方向に移動させる。そして、第１ゴムシート４に対して第２ゴムシート７を相対的に長手方向に離間する方向へと移動させる。これにより、第１係止片１５が第２ゴムシート７の第１側縁側の上方に位置し、第２係止片１７が第１ゴムシート４の第２側片縁の上方に位置する係止状態が得られる。係止状態では、第１直線部１４ａは、第１側縁から幅方向内側に向かって形成されているので、接続端とは反対側に向かって自由端が突出する。第３直線部１６ａは、第２側縁から幅方向内側に向かって形成されているので、接続端とは反対側に向かって自由端が突出する。これにより、係止片１５,１７同士の係止状態がより一層強固なものとされる。なお、必要に応じて、この係止状態で、上、下又は両方から押圧力を作用させて第１ゴムシート４と第２ゴムシート７とを圧着するようにしてもよい。これによれば、単に第１係止片１５に第２係止片１７を係止するだけ、あるいは、圧着による接続をも加えて、良好な接合状態を得ることができる。
【手続補正１６】
【補正対象書類名】明細書
【補正対象項目名】００４３
【補正方法】変更
【補正の内容】
【００４３】
（第７実施形態）
図８は、第７実施形態に係る接続構造を示す。この接続構造では、第１ゴムシート４には、接続端の幅方向中央部から長手方向に突出する係止片１９が形成されている。係止片１９は、長手方向の中央部から幅方向側方に突出する突起１９ａを有する。第２ゴムシート７には、接続端の中央部から長手方向に延びる切欠き２０が形成されている。この切欠き２０は、前記係止部１９とは相補的な形状を有し、内側面中央部には前記突起１９ａが係止される窪み２０ａが形成されている。窪み２０ａは、長手方向に交差するように形成されている。これら係止片１９及び切欠き２０は、プレス等で打ち抜くことにより形成することができる。
【手続補正１７】
【補正対象書類名】図面
【補正対象項目名】図４Ｂ
【補正方法】変更
【補正の内容】
【図４Ｂ】
2019089274.tif 000001
【手続補正１８】
【補正対象書類名】図面
【補正対象項目名】図６Ｂ
【補正方法】削除
【補正の内容】